(57)【特許請求の範囲】
【請求項１】
ビューア本体と、
前記ビューア本体内に設けられ、撮像光学系を保持した鏡筒と、
前記鏡筒に設けられ、前記撮像光学系を介して入射する光像を示す画像信号を出力する固体撮像素子と、
前記ビューア本体内に設けられ、前記固体撮像素子から出力される画像信号を映像信号に変換して表示装置に出力する画像処理回路と、
前記ビューア本体の前記撮像光学系の前方位置に設けられると共に該撮像光学系の光軸を中心に回動自在に支持され、フイルムキャリアを着脱自在に保持するフイルムキャリア保持部材と、
前記フイルムキャリア保持部材の回動に連動して前記鏡筒とともに前記固体撮像素子を前記撮像光学系の光軸方向にスライド移動させて撮影倍率を変えるズーム機構と、
から成ることを特徴とする電子ビューア。
【請求項２】
前記ズーム機構は、前記フイルムキャリアに収納されたネガフイルムの写真画像が横位置の場合には、該写真画像が前記表示装置の表示画面上で正立し且つ写真画像の長辺が表示画面の長辺内に入るが表示画面の短辺内には入らない第１の撮影倍率になるように前記鏡筒を前記フイルムキャリア保持部材の回動に連動してスライド移動させ、前記ネガフイルムの写真画像が縦位置の場合には、該写真画像が前記表示画面上で正立し且つ写真画像の長辺が表示画面の短辺内に入る第２の撮影倍率になるように前記鏡筒を前記フイルムキャリア保持部材の回動に連動してスライド移動させることを特徴とする請求項１記載の電子ビューア。
【発明の詳細な説明】
【０００１】
【発明の属する技術分野】
本発明は電子ビューアに係り、特にネガ又はポジフイルム、その他の撮影対象物を固体撮像素子を用いて撮像し、撮像により得られた映像信号を表示装置に出力する電子ビューアに関する。
【０００２】
【従来の技術】
従来、この種の電子ビューアは、ビューア本体内に撮像光学系、固体撮像素子（ＣＣＤ）、及び画像処理回路を備え、撮像光学系を介して入射した撮影対象物の光像をＣＣＤの結像面上で結像し、ＣＣＤから出力される画像信号を画像処理回路によって映像信号に変換し、この映像信号をモニタＴＶ等の表示装置に出力する。
【０００３】
本願出願人は、この種の電子ビューア（商品名「ＦＯＴＯＶＩＳＩＯＮ  ＦＶ７」）を提供している。この電子ビューアは、フイルムキャリア保持部材によりフイルムキャリアを保持し、そして、このフイルムキャリアに収納されたネガフイルムやスライドフイルムの写真画像を撮像光学系を介してＣＣＤで撮像する。
ところで、前記写真画像は、横位置に撮影したものと縦位置に撮影したものとが混在するため、例えば、横位置に撮影された写真画像を基準として撮像した場合、縦位置で撮影された写真画像は９０度倒れて表示される。そこで、このような場合には、前記フイルムキャリア保持部材をビューア本体に対して９０度回転させて前記縦位置の写真画像を正立させて表示するようにしている。また、横位置の撮影倍率の状態で縦位置の写真画像を正立させると、アスペクト比の影響で写真画像の上下の部分が欠落して表示されるので、この場合には、ビューア本体に設けられたズームツマミを回して撮像光学系による撮影倍率を低くし、写真画像全体を表示するようにしている。
【０００４】
【発明が解決しようとする課題】
しかしながら、従来の電子ビューアは、撮影倍率を変える毎に、また、写真画像の撮影位置が変わる毎に、ズームツマミを操作しなければならないので、その操作が煩わしいという欠点がある。
本発明はこのような事情に鑑みてなされたもので、簡単な操作で撮影倍率を変えることができる電子ビューアを提供することを目的とする。
【０００５】
【課題を解決する為の手段】
本発明は、前記目的を達成する為に、ビューア本体と、前記ビューア本体内に設けられ、撮像光学系を保持した鏡筒と、前記鏡筒に設けられ、前記撮像光学系を介して入射する光像を示す画像信号を出力する固体撮像素子と、前記ビューア本体内に設けられ、前記固体撮像素子から出力される画像信号を映像信号に変換して表示装置に出力する画像処理回路と、前記ビューア本体の前記撮像光学系の前方位置に設けられると共に該撮像光学系の光軸を中心に回動自在に支持され、フイルムキャリアを着脱自在に保持するフイルムキャリア保持部材と、前記フイルムキャリア保持部材の回動に連動して前記鏡筒とともに前記固体撮像素子を前記撮像光学系の光軸方向にスライド移動させて撮影倍率を変えるズーム機構と、から成ることを特徴としている。
【０００６】
本発明によれば、フイルムキャリア保持部材を回動すると、その動作に連動して鏡筒とともに固体撮像素子がズーム機構により撮像光学系の光軸に沿ってスライド移動する。従って、本発明によれば、フイルムキャリア保持部材を回動させるだけで撮影倍率を変えることができるので、簡単な操作で撮影倍率を変えることができる。
【０００７】
請求項２記載の電子ビューアは、横位置の写真画像を正立状態で表示する位置にフイルムキャリア保持部材を回動すると、その回動動作に連動して鏡筒がズーム機構によりスライド移動し、前記写真画像を第１の撮影倍率で撮像する。これにより、横位置の写真画像は、表示画面上で正立し且つ写真画像の長辺が表示画面の長辺内に入るが短辺内には入らない倍率で表示される。
【０００８】
また、縦位置の写真画像を正立状態で表示する位置にフイルムキャリア保持部材を回動すると、その回動動作に連動して鏡筒がズーム機構によりスライド移動し、前記写真画像を第２の撮影倍率で撮像する。これにより、縦位置の写真画像は、表示画面上で正立し且つ写真画像の長辺が表示画面の短辺内に入る倍率で表示される。
【０００９】
【発明の実施の形態】
以下添付図面に従って本発明に係る電子ビューアの好ましい実施の形態について詳説する。図１は、本発明に係る電子ビューアを前面側から見た斜視図、図２は背面側から見た斜視図である。また、図３はフイルムキャリアを９０度回転させ、且つヘッドカバーを開いた状態を示している。
【００１０】
図１〜図３に示すように、電子ビューア１０は略直方体状のビューア本体１１を備えている。このビューア本体１１内には、後述する撮像光学系、固体撮像素子としてのＣＣＤ、画像処理回路等が内蔵されている。前記撮像光学系は、ビューア本体１１の上部に位置されており、従って、ビューア本体１１の上面中央部は光像を取り込むための開口部が形成されている。
【００１１】
前記ビューア本体１１の上部には図３に示すように、フイルムキャリア保持部材であるキャリアホルダ１２がベース２３と共に９０度の範囲内で回転自在に取り付けられている。キャリアホルダ１２及びベース２３は略正方形の枠体であり、その中央部には光像を取り込むための前記開口部が形成されている。キャリアホルダ１２及びベース２３の取付構造の詳細については後述する。
【００１２】
キャリアホルダ１２の平行な２つの側壁にはキャリア差込み口２１が形成されている。キャリア差込み口２１には後述するフイルムキャリアが着脱自在に挿入される。キャリア差込み口２１よりも下方の位置において、キャリアホルダ１２の前記開口部を塞ぐようにベース２３に保護ガラス２２が設けられている（図４参照）。保護ガラス２２は、ビューア本体１１上部に収納されている撮像光学系を保護するものである。また、キャリア差込み口２１の中央部上方に位置決めマーク２１Ａが刻設されている。
【００１３】
キャリアホルダ１２のキャリア差込み口２１が開口されていない他の２つの側壁にはベース２３に設けられたヒンジ３２によりヘッドカバー１３が開閉可能に設けられている。ヘッドカバー１３の内側には照明灯３１が設けられている。
ヘッドカバー１３は閉じられると（図１又は図２参照）、ビューア本体１１の上部開口部を完全に覆う。ヘッドカバー１３は、キャリアホルダ１２を９０度回転させた状態で完全に開かれ、このように開かれると（図３参照）、キャリアホルダ１２の上面に等しい高さか又はこれよりも若干下方に位置する。ヒンジ３２はきつく作られており、ヒンジ３２における摩擦力により、ヘッドカバー１３は閉じられた、又は任意の角度まで開かれた姿勢に保持される。また、ヘッドカバー１３は、ビューア本体１１の上部に形成された位置決め斜面１１ａによって、その最大開放量が規制されている。
【００１４】
ビューア本体１１の幅の広い平行な２つの側面には脚部１４、１４が設けられ、この脚部１４、１４はビューア本体１１の上部にヒンジ４２、４２により開閉自在に取り付けられている。前記脚部１４は、閉じた状態ではビューア本体１１の側面に沿っており、且つその下端部はビューア本体１１の下面よりも下方に突出している。
【００１５】
図１に示すビューア本体１１の脚部１４が取り付けられていない幅の狭い側面には、電源スイッチ５３、電源表示灯５４、ネガ白黒／ネガ／ポジ／切換スイッチ５５、色合い／明るさ自動ボタン５６、色合い／明るさ自動表示灯５７、明るさ調整ダイヤル５８、及び色合い調整ダイヤル５９Ｒ、５９Ｇ、５９Ｂが配設されている。また、図２、図３に示すもう一つの側面には、ロック解除ボタン４１、Ｓ映像出力端子６１、Ｖ映像出力端子６２、及びＤＣ入力端子６３がそれぞれ配設されている。
【００１６】
図４にはキャリアホルダ１２とベース２３の取付構造が示され、図５にはその断面図が示されている。ベース２３の中央部にはカム筒１００が突出形成される。このカム筒１００は、ビューア本体１１の上端面の円形開口１１Ｃに固着されたガイド筒１０２に撮像光学系１０４の光軸１１４を中心に回転自在に挿入されている。また、カム筒１００内には、前記撮像光学系１０４とＣＣＤ１１８とが設けられた鏡筒１０６が配置される。この鏡筒１０６、カム筒１００、及びガイド筒１０２から成るズーム機構の構造については後述する。
【００１７】
前記ベース２３には凹部２３Ａが形成され、この凹部２３Ａ内に弾性をもつ材料から成るガイド２９が収納されている。ガイド２９の上下の折曲部２９Ａ、２９Ａには、キャリアホルダ１２に形成されたレール１２ａ、１２ａが揺動自在に嵌入される。レール１２ａは、ガイド２９のもつ弾性によりきつく挟まれる。ガイド２９の中央部には入射光像を取り込む矩形の窓２９Ｂが開放されている。
【００１８】
前記カム筒１００及びガイド筒１０２は、ベース２３とエンドプレート２４とによって挟まれ、止めネジ２５によってエンドプレート２４がカム筒１０に３箇所において締結されている。エンドプレート２４の下面には９０度の角度間隔で２箇所に溝が形成されている。クリックばね２６は、ビューア本体１１に設けられた図示しない支持部材に固定され、エンドプレート２４の下面に接している。クリックばね２６がエンドプレート２４の下面の溝に嵌まり込む２つの角度位置においてキャリアホルダ１２は位置決めされる。
【００１９】
ベース２３には図４に示すように、ヒンジ３２を構成する２つの筒状部分３２Ａ、３２Ｂが形成されている。また、ヘッドカバー１３にも同様に２つの筒状部分３２Ｃ、３２Ｄが形成されている。筒状部分３２Ｃと３２Ｄとの間には、前記筒状部分３２Ａが位置し、これらの筒状部分にねじ３３が挿入される。ねじ３３は、筒状部分３２Ｄの内部に形成された雌ねじに螺合される。また、筒状部分３２Ｂには、ヒンジ機能に関与しない溝が形成されている。ヘッドカバー１３に設けられた照明灯３１に電流を供給するコード２７は、ベース２３の孔、ベース２３の内面に形成された溝２３Ｂ、筒状部分３２Ｂの溝を介して配線され、そして、筒状部分３２Ｄの孔を介してヘッドカバー１３に至り、照明灯３１まで延設されている。
【００２０】
図６にフイルムキャリアの実施例を示す。フイルムキャリア９０は２枚のプレート９１と９２とがヒンジ９３により開閉自在に連結されて構成されている。一方のプレート９１は乳白色で散光板として働く。このプレート９１の内面にはネガフイルムＦを収納するための浅い凹所９４が形成されている。他方のプレート９２には、凹所９４に収納されたネガフイルムＦの各コマの部分が露出される窓９５が開口されている。両プレート９１、９２の縁部には２箇所に爪９６と段部９７とが形成されている。両プレート９１、９２とを開いた状態で凹所９４にネガフイルムＦを収納し、両プレート９１、９２とを閉じると、段部９７に爪９６が係合して閉じた状態に保持される。
【００２１】
次に、前記ズーム機構について説明する。図７に示すように、前記ガイド筒１０２の外周面には、ガイド筒１０２の軸方向に沿って２本のガイド溝１０８、１０８が対称位置に形成される。また、ガイド筒１０２に挿入される前記カム筒１００の外周部には、２本のカム溝１１０、１１０が対称位置に形成されている。このカム筒１００に挿通される鏡筒１０６には２つのネジ孔１１２、１１２が対称位置に形成され、このネジ孔１１２、１１２にガイドピン１１４、１１４が前記ガイド溝１０８、カム溝１１０を介して締結されている。従って、鏡筒１０６は、図５に示したキャリアホルダ１２を撮像光学系１０４の光軸１１６を中心に回動させると、カイド溝１０８、カム溝１１０、及びガイドピン１１４の作用により前記光軸１１６方向に沿って上下方向に移動する。これにより、鏡筒１０６の下部に設けられたＣＣＤ１１８に結像する光像の大きさが変わるので、撮影倍率を変えることができる。このＣＣＤ１１８から出力される前記光像を示す画像信号は、画像処理回路１２０によって映像信号に変換されて、Ｖ映像出力端子６２（図３参照）に導かれる。
【００２２】
前記カム筒１００のカム溝１１０は、キャリアホルダ１２をビューア本体１１に対して図１、図８に示した位置に回動させると鏡筒１０６を最も繰り出した位置（図５参照）に移動させる形状に形成される。この時の撮影倍率は、図６に示したフイルムキャリア９０に収納されたネガフイルムＦの横位置の写真画像１２２が、図８に示すようにテレビ画面１２４上で正立し且つ写真画像１２２の長辺１２２Ａがテレビ画面１２４の長辺内１２４Ａに入るが短辺１２４Ｂ内には入らない第１の撮影倍率に設定される。
【００２３】
また、カム溝１１０は、キャリアホルダ１２をビューア本体１１に対して図３、図１０に示した位置に回動させると鏡筒１０６を最も繰り込んだ位置（図９参照）に移動させる形状に形成される。この時の撮影倍率は、図６に示したネガフイルムＦの縦位置の写真画像１２６が、図１０に示すようにテレビ画面１２４上で正立し且つ写真画像１２６の長辺１２６Ａがテレビ画面１２４の短辺１２４Ｂ内に入る前記第１の撮影倍率よりも低倍率の第２の撮影倍率になるように設定されている。
【００２４】
前記ガイドピン１１４は図５、図９に示すように、バネ１２８を介してビューア本体１１に取り付けられ、このバネ１２８の付勢力によってカム溝１１０、ガイド溝１０８の上縁部に押圧されている。これにより、ガイドピン１１４と、カム溝１１０及びガイド溝１０８とのガタが前記バネ１２８の付勢力によって吸収されている。
【００２５】
次に、前記の如く構成された電子ビューアの使用方法について説明する。
図８に示すように、先ず、脚部１４、１４を開いて電子ビューア１０を正立させた状態で支持し、ネガフイルムＦを収納したフイルムキャリア９０をキャリア差込み口２１に挿入する。この時、ヘッドカバー１３は閉じておく。次いで、切換スイッチ５５によってネガモードを選択したのち、電源スイッチ５３により照明灯３１を点灯する。これにより、ビューア本体１１の撮像光学系１０４の前方に位置した写真画像が照明灯３１により照射され、そして、その透過画像光が撮像光学系１０４を介してＣＣＤ１１８で撮像される。撮像された写真画像はテレビ画面１２４に表示される。
【００２６】
この時、表示された写真画像が横位置で撮影された写真画像１２２（図６参照）の場合には、キャリアホルダ１２をビューア本体１１に対して図８に示した位置に回動させる。これにより、キャリホルダ１２の回動に連動して鏡筒１０６とともにＣＣＤ１１８が図５に示した最も繰り出した位置に移動するので、前記横位置の写真画像１２２はテレビ画面１２４上で正立し且つ写真画像１２２の長辺１２２Ａがテレビ画面１２４の長辺内１２４Ａに入るが短辺１２４Ｂ内には入らない第１の撮影倍率で表示される。
【００２７】
また、前記写真画像が縦位置で撮影された写真画像１２６（図６参照）の場合には、キャリアホルダ１２をビューア本体１１に対して図１０に示した位置に９０度回動させる。これにより、キャリホルダ１２の回動に連動して鏡筒１０６とともにＣＣＤ１１８が図９に示した最も繰り込まれた位置に移動するので、前記縦位置の写真画像１２６はテレビ画面１２４上で正立し且つ写真画像１２６の長辺１２６Ａがテレビ画面１２４の短辺１２４Ｂ内に入る低倍率の第２の撮影倍率で表示される。
【００２８】
従って、本実施例の電子ビューアによれば、横位置及び縦位置の写真画像を正立させる位置にフイルムキャリア保持部材を回動するだけで、その位置に応じた適正な撮影倍率に切り換えることができるので、従来の電子ビューアのようにズームツマミを操作する手間を省くことができる。これにより、本実施例では、写真画像が横位置であっても縦位置であっても共に正立した欠けのない写真画像を簡単な操作で表示することができる。
【００２９】
本実施例では、テレビ画面１２４上で正立表示する必要がある被写体、即ち天地のある写真画像の表示方法について述べたが、天地のない被写体の場合には、所望の撮影倍率となるようにキャリアホルダ１２の回動量を調節すれば良い。
図１１には、電子ビューアの他の実施例を示すキャリアホルダ近傍の断面図であり、図５に示した実施例と同一若しくは類似の部材については、同一の符号を付してその説明は省略する。
【００３０】
同図に示す電子ビューアは、撮影光学系１０４をビューア本体１１内に固定すると共に、キャリアホルダ１２のキャリア差込み口２１の上部に、縦位置の写真画像専用のキャリア差込み口１３０を形成したものである。キャリア差込み口１３０にフイルムキャリア９０を挿入すると縦位置の写真画像は、キャリア差込み口２１側と比較して低倍率で撮像されるので、テレビ画面上で正立し且つ写真画像の長辺がテレビ画面の短辺内に入る低倍率の第２の撮影倍率で表示される。
【００３１】
【発明の効果】
以上説明したように本発明に係る電子ビューアによれば、キャリアホルダ保持部材を回動するだけで撮影倍率を変えることができるので、簡単な操作で撮影倍率を変えることができる。
また、本発明の電子ビューアによれば、キャリアホルダ保持部材の回動動作に連動させて撮影倍率を、横位置の写真画像、及び縦位置の写真画像に応じた撮影倍率に変えるようにしたので、共に正立した欠けのない写真画像を簡単な操作で表示させることができる。
【図面の簡単な説明】
【図１】本発明に係る電子ビューアを前面側から見た斜視図
【図２】図１に示した電子ビューアを背面側から見た斜視図
【図３】図１に示した電子ビューアのヘッドカバーを開いた状態を示す斜視図
【図４】キャリアホルダの取付構造を示す組立斜視図
【図５】キャリアホルダの取付構造を示す断面図
【図６】フイルムキャリアの斜視図
【図７】鏡筒のズーム機構を示す組立斜視図
【図８】横位置の写真画像を表示する電子ビューアの使用方法を示す説明図
【図９】鏡筒が繰り込まれた状態を示すズーム機構の断面図
【図１０】縦位置の写真画像を表示する電子ビューアの使用方法を示す説明図
【図１１】電子ビューアの他の実施例を示すキャリアホルダ近傍の断面図
【符号の説明】
１０…電子ビューア
１１…ビューア本体
１２…キャリアホルダ
１３…ヘッドカバー
１００…カム筒
１０２…ガイド筒
１０４…撮像光学系
１０６…鏡筒
１０８…ガイド溝
１１０…カム溝
１１４…ガイドピン
１１８…ＣＣＤ
１２０…画像処理回路
１２２…横位置で撮影された写真画像
１２４…テレビ画面
１２６…縦位置で撮影された写真画像
【図１】
0003617050.tif 000002
【図２】
0003617050.tif 000003
【図３】
0003617050.tif 000004
【図４】
0003617050.tif 000005
【図５】
0003617050.tif 000006
【図６】
0003617050.tif 000007
【図７】
0003617050.tif 000008
【図８】
0003617050.tif 000009
【図９】
0003617050.tif 000010
【図１０】
0003617050.tif 000011
【図１１】
0003617050.tif 000012